(57)【要約】【課題】配信サーバから配信される各種情報のうち、利用者にとって必要な情報を抽出するとともに、利用者にとって煩わしい操作を行わずにその情報を表示させながらも、利用者がその内容を容易に確認できる通信装置を提供すること。【解決手段】本発明の実施形態に係る通信端末は、配信サーバから送信される様々な配信データを受信する一方、予め設定されたキーワードに対応する配信データを受信した場合に、利用者に対して報知するとともに、報知後一定時間経過した後に配信データに係る表示内容を表示画面に表示させることができる。したがって、利用者は、他の作業を行っていても報知により所望の配信データを受信したことを認識できるとともに、その配信データに係る表示内容が遅れて表示されるから、時間的猶予により確実にその表示内容を確認することができる。【選択図】図６
2010226245.tif 000002
【特許請求の範囲】
【請求項１】
キーワードを設定する設定手段と、
表示画面に表示させる表示内容を示す表示データおよび前記表示内容を識別する識別データを対応付けて送信されるデータを受信する受信手段と、
前記受信手段によって受信された識別データと、前記設定手段によって設定されたキーワードとが特定の関係を満たすか否かを判定する判定手段と、
前記判定手段によって前記特定の関係を満たすと判定された場合に、予め設定された態様で報知する報知手段と、
前記報知手段によって報知されてから予め設定された時間が経過すると、前記判定手段によって特定の関係を満たすと判定された識別データに対応付けられた表示データが示す表示内容を、表示画面を有する表示手段に表示させる表示制御手段と
を具備することを特徴とする通信装置。
【請求項２】
前記設定手段によって設定されるキーワードは複数であって、
前記判定手段は、前記設定手段によって設定された複数のキーワードの各々に対して判定を行い、
前記報知手段は、前記判定手段によって前記特定の関係を満たすと判定されたキーワードに応じた態様で報知する
ことを特徴とする請求項１に記載の通信装置。
【請求項３】
周囲の音を収音する収音手段と、
前記収音手段によって収音された音に係るオーディオデータを他装置に送信する送信手段と
をさらに具備し、
前記設定手段は、前記収音手段によって収音された音を解析し、解析結果に応じたキーワードを設定する
ことを特徴とする請求項１または請求項２に記載の通信装置。
【発明の詳細な説明】
【技術分野】
【０００１】
本発明は、配信されるデータの表示を制御する技術に関する。
【背景技術】
【０００２】
放送局から送信される映像を表示画面に表示させているときに、放送局から別途送信される情報を表示画面に表示させる技術がある。例えば、特許文献１には、緊急報知メッセージなどを送信して、表示画面上に表示されている放送の映像とともに、送信した情報を表示させる技術が開示されている。この技術においては、送信された情報を表示する前に、放送局から送信可能な情報があることを、図形等により表示画面上に表示して報知し、利用者は、その図形を指定する操作などを行うことにより、表示すべき情報を放送局から受信し、表示画面上に表示させるようになっている。
【先行技術文献】
【特許文献】
【０００３】
【特許文献１】特開２００６−３４００１９号公報
【発明の概要】
【発明が解決しようとする課題】
【０００４】
このような技術を用いると、放送局から送信される情報を利用者の操作により表示画面上に表示させることができる一方、様々な情報が送信される場合には、これらが全て表示されることとなり、利用者は、不要な情報についてもこの表示を見ることになってしまっていた。さらに、情報を表示させてその内容を確認したいときには、報知された図形を指定するなど、利用者の操作が必要であり不便なものであった。
【０００５】
本発明は、上述の事情に鑑みてなされたものであり、配信サーバから配信される各種情報のうち、利用者にとって必要な情報を抽出するとともに、利用者にとって煩わしい操作を行わずにその情報を表示させながらも、利用者がその内容を容易に確認できる通信装置を提供することを目的とする。
【課題を解決するための手段】
【０００６】
上述の課題を解決するため、本発明は、キーワードを設定する設定手段と、表示画面に表示させる表示内容を示す表示データおよび前記表示内容を識別する識別データを対応付けて送信されるデータを受信する受信手段と、前記受信手段によって受信された識別データと、前記設定手段によって設定されたキーワードとが特定の関係を満たすか否かを判定する判定手段と、前記判定手段によって前記特定の関係を満たすと判定された場合に、予め設定された態様で報知する報知手段と、前記報知手段によって報知されてから予め設定された時間が経過すると、前記判定手段によって特定の関係を満たすと判定された識別データに対応付けられた表示データが示す表示内容を、表示画面を有する表示手段に表示させる表示制御手段とを具備することを特徴とする通信装置を提供する。
【０００７】
また、別の好ましい態様において、前記設定手段によって設定されるキーワードは複数であって、前記判定手段は、前記設定手段によって設定された複数のキーワードの各々に対して判定を行い、前記報知手段は、前記判定手段によって前記特定の関係を満たすと判定されたキーワードに応じた態様で報知することを特徴とする。
【０００８】
また、別の好ましい態様において、周囲の音を収音する収音手段と、前記収音手段によって収音された音に係るオーディオデータを他装置に送信する通信手段とをさらに具備し、前記設定手段は、前記収音手段によって収音された音を解析し、解析結果に応じたキーワードを設定することを特徴とする。
【発明の効果】
【０００９】
本発明によれば、配信サーバから配信される各種情報のうち、利用者にとって必要な情報を抽出するとともに、利用者にとって煩わしい操作を行わずにその情報を表示させながらも、利用者がその内容を容易に確認できる通信装置を提供することができる。
【図面の簡単な説明】
【００１０】
【図１】本発明の実施形態に係る通信端末の外観を示す説明図である。
【図２】本発明の実施形態に係る通信システムの構成を示すブロック図である。
【図３】本発明の実施形態に係る通信端末の構成を示すブロック図である。
【図４】本発明の実施形態に係る判定テーブルの内容を説明する図である。
【図５】本発明の実施形態に係るマイクロフォンの配置を示す説明図である。
【図６】本発明の実施形態に係るデータ制御部の構成を示すブロック図である。
【図７】変形例１に係る発光制御テーブルの内容を説明する図である。
【図８】変形例２に係る設定情報の内容を説明する図である。
【図９】変形例３に係る日付自動設定情報の内容を説明する図である。
【図１０】変形例５に係る設定対応テーブルの内容を説明する図である。
【図１１】変形例６に係る通信端末の外観を説明する図である。
【発明を実施するための形態】
【００１１】
以下、本発明の一実施形態について説明する。
【００１２】
＜実施形態＞
図１は、本発明の実施形態に係る通信端末１の外観を示す図である。通信端末１の筐体は、図１（ａ）、（ｂ）に示すように概ね直方体の形状である。図１（ｂ）は、図１（ａ）とは反対側から見た図であり、図１（ａ）に記載の正面１０−Ｆに対向する面（図１における矢印ＡＲ１方向から見た面）は、図１（ｂ）に記載の背面１０−Ｂに対応する。正面１０−Ｆには、操作ボタン１３１、表示画面１４１、スピーカ１７１、およびスピーカ１７１を保護するネット１７２が設けられている。また、筐体内部に、複数のマイクロフォン１６１（図５参照）が設けられ、筐体の底面を除く５面（上面１０−Ｔ、正面１０−Ｆ、右側面１０−Ｒ、左側面１０−Ｌ、背面１０−Ｂ）には、内部のマイクロフォン１６１を保護するカバー１６２が設けられている。この複数のマイクロフォン１６１によって収音される音を解析することによって、その音の発生源の方向を特定可能になっている。
【００１３】
また、正面１０−Ｆと右側面１０−Ｒとの境界部分には、発光体１５１−ＦＲが設けられている。同様に、右側面１０−Ｒと背面１０−Ｂとの境界部分には発光体１５１−ＲＲ、左側面１０−Ｌと背面１０−Ｂとの境界部分には発光体１５１−ＲＬ、左側面１０−Ｌと正面１０−Ｆとの境界部分には発光体１５１−ＦＬがそれぞれ設けられている。発光体１５１−ＦＲ、１５１−ＦＬ、１５１−ＲＲ、１５１−ＲＬ（以下、それぞれを区別しない場合には、発光体１５１という）は、ＬＥＤ（Light Emitting Diode）、有機ＥＬ（Electro-Luminescence）などの発光素子により発光し、それぞれ発光可能な領域のうち、発光させる範囲が変化させられるように構成されている。
【００１４】
図２は、本実施形態に係る通信システム１０００の構成を示すブロック図である。図２に示すように、通信端末１は、インターネットなどのネットワーク３に接続し、後述する通信部１８により互いに通信可能となっている。また、ネットワーク３には、各種の情報を配信する配信サーバ２が接続されている。配信サーバ２は、ネットワーク３に接続されている各通信端末１に対して、各種の情報を示す配信データを同報的に送信、すなわち放送型通信により送信して、定期的に様々な情報を配信する。
【００１５】
なお、配信データが送信される間隔は、定期的でなくてもよいが、通信端末１からの要求の有無にかかわらず任意のタイミングで継続的に行われる。また、通信端末１は、配信サーバ２から配信データを受信するときには、ネットワーク３を介して接続することによるものでなくてもよく、例えば、放送電波などにより配信サーバ２から送信される配信データを受信するようにしてもよい。このように配信サーバ２から通信端末１への一方向の通信であってもよい。
【００１６】
配信データは、表示画面に表示させる表示内容を示す表示データと、表示内容を識別する識別情報とが対応付けられたデータである。表示内容を識別する識別情報は、例えば、対応する表示データが示す表示内容が天気予報などである場合には「天気情報」を示し、表示内容がニュースなどの報道である場合には、その分野ごとに「経済ニュース」、「政治ニュース」「社会ニュース」というようにデータの種別（以下、データ種別という）により表されている。なお、配信データは、表示データの表示内容と同期して放音する放音内容を示す放音データについても含む場合がある。
【００１７】
図３は、本実施形態に係る通信端末１の構成を示すブロック図である。通信端末１は、制御部１１、記憶部１２、操作部１３、表示部１４、発光部１５、収音部１６、放音部１７および通信部１８を有し、バスを介して互いに接続されている。
【００１８】
制御部１１は、ＣＰＵ（Central Processing Unit）、ＲＯＭ（Read Only Memory）、ＲＡＭ（Random Access Memory）などを有する。ＣＰＵは、ＲＯＭに記憶されている制御プログラムを読み出して、ＲＡＭにロードして実行することにより、通信端末１の各部について、バスを介して制御し、後述する配信データに係る表示の表示制御機能などを実現する。また、ＲＡＭは、ＣＰＵが各データの加工などを行う際のワークエリアとして機能する。
【００１９】
記憶部１２は、例えば、不揮発性メモリなどの大容量記憶手段であって、設定情報、判定テーブルを記憶する。設定情報は、利用者が操作部１３の操作ボタン１３１などを操作することによって設定されるキーワードを示すものである。キーワードは、どのような言葉でもよいが、例えば、「天気予報」、「旅」、「ニュース」、「夏休み」などである。
【００２０】
図４は、本実施形態に係る判定テーブルの内容を説明する図である。記憶部１２に記憶されている判定テーブルは、設定情報が示すキーワードと識別情報が示すデータ種別との関係が特定の関係で対応するか否かを示すテーブルであって、この例においては、図４に示すように、識別情報が示すデータ種別と、対応ワードとが対応付けられたテーブルである。
【００２１】
対応ワードとは、設定情報が示すキーワードに含まれる言葉を定義したものである。したがって、この判定テーブルによれば、設定情報が示すキーワードが「天気予報」であれば、対応ワード「天気」が含まれているため、このキーワード「天気予報」とデータ種別「天気情報」とが対応することを示している。また、別の例としては、設定情報が示すキーワードが「夏休み」であれば、対応ワード「休み」、「夏」が含まれているため、キーワード「夏休み」に対応するデータ種別は「行楽地情報」、「外食情報」および「夏関連情報」であることを示している。
【００２２】
図３に戻って、説明を続ける。操作部１３は、操作ボタン１３１を有し、利用者が操作ボタン１３１を操作するとその操作内容を表すデータが制御部１１へ出力される。この例においては、他の通信端末１との通信を確立する指示、キーワード設定指示などを操作により行う。キーワード設定指示は、上述したように、操作ボタン１３１を操作して、キーワードを入力すると、制御部１１は、入力されたキーワードを記憶部１２に記憶された設定情報が示すキーワードとして設定する。このとき入力内容を表示画面１４１に表示させてもよい。
【００２３】
表示部１４は、液晶ディスプレイなどの表示画面１４１に画像を表示する表示デバイスである。表示部１４は、制御部１１の制御、または後述する表示制御部１０４の制御により、表示画面１４１に画像を表示する。表示画面１４１に表示される画像は、配信データに含まれる表示データが示す表示内容、上述したように操作に応じた表示、メニュー表示などの各種表示である。なお、この表示部１４は、通信端末１とは別の外部装置として設けられるものであってもよい。この場合には、通信端末１は、表示画面を有する外部装置と接続するインターフェイスを有するようにして、そのインターフェイスを介して外部装置と接続することによって、表示画面１４１に表示されるべき画像を外部装置の表示画面に表示させるようにすればよい。
【００２４】
発光部１５は、発光体１５１を有し、制御部１１の制御、後述する発光制御部１０３の制御により発光体１５１を発光させる。
【００２５】
収音部１６は、各々収音した音を示す収音信号を出力する複数のマイクロフォン１６１を有し、上述したようにカバー１６２に保護されるとともに、これを通過する音を収音するように、筐体内上部に設けられている。この例においては、各マイクロフォン１６１は単一指向性を有し、それぞれ異なる方向に指向性を有するように配置されている。
【００２６】
図５は、複数のマイクロフォン１６１の配置を説明する図である。図５は、通信端末１の上面１０−Ｔ方向から見た場合におけるマイクロフォン１６１の配置を示している。この例においては、マイクロフォン１６１は、図５に示すように、３つであり、それぞれの指向の方向が中心Ｃに向かうとともに、その方向は、互いに１２０°異なるものとなっている。そして、各マイクロフォン１６１は、中心Ｃから等距離に配置されている。このように配置することにより、通信端末１の水平方向周囲の音を収音することができ、各マイクロフォン１６１において収音された音を解析すれば、その音の発生源となる音源の方向を識別することもできる。
【００２７】
そして、収音部１６は、各マイクロフォンからの収音信号を出力する。この複数の収音信号を解析することにより、収音した音の音源方向を特定することができるようになっている。さらに、収音信号の解析により特定した音源方向の音を抽出してオーディオデータを生成することもできる。このような処理は、後述する収音信号処理部１０６において行われる。
【００２８】
図３に戻って説明を続ける。放音部１７は、スピーカ１７１を有し、制御部１１の制御、後述する放音制御部１０５の制御により、スピーカ１７１から放音させる。図１に示したように、この例においては、スピーカ１７１は２個であるが、１個でもよいし、３個以上であってもよい。数が多い場合には、それらから放音させる信号に対して、遅延などの処理を行うことにより、放音する音に指向性を付与してもよい。
【００２９】
通信部１８は、無線または有線によりネットワーク３に接続して、他の通信端末１、配信サーバ２と通信して、他の通信端末１とオーディオデータ、後述する音源情報の送受信を行うとともに、配信サーバ２から配信データの受信を行う通信手段である。通信部１８は、上述したように、配信サーバ２からの配信データが放送電波などにより送信される場合には、放送電波を受信するチューナなどを有するようにしてもよい。
【００３０】
以上が、通信端末１の構成の説明である。次に、制御部１１が制御プログラムを実行することによって表示制御機能が実現されるときに構成されるデータ制御部１００について図６を用いて説明する。なお、以下に説明するデータ制御部１００については、それぞれの各機能の全部または一部をハードウエアによって実現してもよい。
【００３１】
図６は、本実施形態に係るデータ制御部１００の構成を示すブロック図である。データ制御部１００は、配信データ取得部１０１、判定部１０２、発光制御部１０３、表示制御部１０４、放音制御部１０５および収音信号処理部１０６を有する。
【００３２】
収音信号処理部１０６は、収音部１６から出力される複数の収音信号を取得し、この収音信号を解析することにより、収音した音の音源方向を特定するとともに、収音信号の解析により特定した音源方向の音を抽出してオーディオデータを生成する。なお、複数の方向の音源からの音を抽出した場合には、それぞれの音源に対応するオーディオデータを生成してもよいし、各方向の音源からの音を合成してオーディオデータを生成してもよい。
【００３３】
そして、収音信号処理部１０６は、生成したオーディオデータを通信部１８に出力して、通信部１８から他の通信端末１に対してオーディオデータを送信させる。また、収音信号処理部１０６は、収音信号の解析により特定した音源方向（例えば、正面１０−Ｆの方向（スピーカ１７１の音軸方向）に対する角度）およびその音源からの音の音量レベルを示す音源情報を通信部１８に出力して、通信部１８から他の通信端末１に対して送信させる。
【００３４】
配信データ取得部１０１は、通信部１８によって受信された配信データを取得し、配信データに含まれる識別情報を判定部１０２に出力し、配信データに含まれる表示データを表示制御部１０４に出力する。また、配信データ取得部１０１は、配信データに放音データが含まれている場合には、その放音データを放音制御部１０５に出力する。
【００３５】
判定部１０２は、配信データ取得部１０１から出力される識別情報を取得するとともに、記憶部１２に記憶されている設定情報と判定テーブルとを取得する。判定部１０２は、取得した判定テーブルを参照し、識別情報が示すデータ種別が、取得した設定情報が示すキーワードに対応しているか否かを判定し、対応している（すなわち、キーワードがデータ種別に対応付けられた対応ワードを含んでいる）と判定した場合には、肯定的な判定を示す判定信号（以下、判定信号ＯＫという）を発光制御部１０３、表示制御部１０４および放音制御部１０５に出力する。なお、判定部１０２は、対応していないと判定した場合には、否定的な判定を示す判定信号（以下、判定信号ＮＧという）を出力するようにしてもよい。
【００３６】
発光制御部１０３は、他の通信端末１から受信することによって通信部１８から出力される音源情報を取得し、音源情報が示す音源方向および音量レベルに応じて、発光部１５を制御して、発光体１５１を発光させる。この例においては、音源情報が示す音源方向に最も近い発光体１５１を発光させ、発光させる範囲は、音量レベルが大きいほど広くなるように制御するが、音源方向、音量レベルに応じて発光位置、発光範囲、発光量、点滅態様などを変化させるような態様であれば、どのような態様で発光体１５１を発光させる制御を行ってもよい。なお、通信部１８から出力される音源情報でなく、収音信号処理部１０６から出力される音源情報を取得して、この音源情報に応じて発光体１５１の発光態様を制御するようにしてもよい。
【００３７】
また、発光制御部１０３は、判定部１０２から出力される判定信号ＯＫを取得すると、音源方向、音量レベルに応じた制御を中止し、発光体１５１を予め設定された態様（この例においては、全ての発光体１５１を５秒間点滅）で発光させるように、発光部１５を制御する。このようにして、周囲の利用者に対して、キーワードに対応するデータ種別の配信データを受信したことを報知する。通信部１８によって受信される配信データは、配信サーバ２によって放送型通信により送信されるものであり、通信端末１の要求がなくても送信されているものであるから、様々なデータ種別の配信データであるが、上述のような処理により、利用者は、所望のデータ種別の配信データを受信したことを認識することができる。
【００３８】
表示制御部１０４は、配信データ取得部１０１から出力される表示データを取得し、リングバッファなどにより予め設定された時間（少なくとも判定部１０２における判定処理に要する時間）に相当するデータを蓄積する。そして、表示制御部１０４は、判定部１０２から出力される判定信号ＯＫを取得すると、バッファに蓄積されている表示データを読み出し、予め設定された時間（この例においては、４秒間）の遅延処理を行ってから表示部１４に出力して、表示データが示す表示内容を表示画面１４１に表示させる。一方、バッファへの表示データの蓄積を開始してから一定時間経過しても判定部１０２から判定信号ＯＫが出力されなかった場合（または、判定信号ＮＧが出力された場合）には、配信データ取得部１０１から新たな配信データに係る表示データが出力されるまでは、バッファへの表示データの蓄積を中止する。
【００３９】
これにより、判定部１０２から判定信号ＯＫが出力されて発光体１５１による報知が開始されてから４秒間経過後に、表示画面１４１に表示データが示す表示内容の表示がなされることになる。したがって、利用者は、報知を確認してから表示内容を確認するために一定時間の猶予があることになるから、表示画面１４１を見続けていなくても確実に表示内容を確認することができる。
【００４０】
放音制御部１０５は、通信部１８によって受信された他の通信端末１のオーディオデータを取得し、放音部１７に出力して放音させる。また、放音制御部１０５は、配信データ取得部１０１から放音データが出力された場合には、これを取得し、リングバッファなどにより予め設定された時間（少なくとも判定部１０２における判定処理に要する時間）に相当するデータを蓄積する。そして、放音制御部１０５は、判定部１０２から出力される判定信号ＯＫを取得すると、バッファに蓄積されている放音データを読み出し、予め設定された時間（この例においては、４秒間）の遅延処理を行ってから放音部１７に出力して、放音データが示す放音内容をスピーカ１７１から放音させる。一方、バッファへの放音データの蓄積を開始してから一定時間経過しても判定部１０２から判定信号ＯＫが出力されなかった場合（または、判定信号ＮＧが出力された場合）には、配信データ取得部１０１から新たな配信データに係る放音データが出力されるまでは、バッファへの放音データの蓄積を中止する。
【００４１】
これにより、判定部１０２から判定信号ＯＫが出力されて発光体１５１による報知が開始されてから４秒間経過後に、放音部１７のスピーカから放音データが示す放音内容の放音が、表示画面１４１に表示される表示内容と同期してなされることになる。
【００４２】
なお、放音制御部１０５は、放音データを出力するときには、通信部１８から取得したオーディオデータについては出力を停止してもよいし、オーディオデータに係る放音の音量レベルを低下させるように放音部１７を制御してもよい。また、判定部１０２から判定信号ＯＫを取得したときには、放音部１７を制御して、スピーカ１７１から報知音（例えば、ＢＥＥＰ音など）を放音させるようにして、発光体１５１の発光による視覚的な報知とは別に、聴覚的な報知をさせてもよい。この報知音の放音は、放音データが配信データ取得部１０１から出力されている場合に行うようにしてもよい。以上が、データ制御部１００の構成についての説明である。
【００４３】
次に、通信端末１の動作について説明する。まず、通信端末１は、他の通信端末１とオーディオデータの通信を行っているものとする。したがって、通信端末１の利用者と他の通信端末１の利用者とは、互いに会話を行うことができる状態となっている。このとき、発光体１５１は、他の通信端末１の利用者の位置、声の大きさに応じて発光する。そして、通信端末１の利用者は、操作ボタン１３１を操作してキーワード「天気予報」を予め設定しているものとする。
【００４４】
配信サーバ２から各通信端末１に対して、様々な配信データが送信される。設定情報が示すキーワードは「天気予報」であるため、判定テーブルによって対応付けられるデータ種別は「天気情報」である。したがって、判定部１０２は、配信データ取得部１０１によって取得される配信データの識別情報により識別されるデータ種別が「天気情報」のものを取得すると、判定信号ＯＫを出力する。
【００４５】
これにより、発光体１５１の発光は、利用者の位置、声の大きさに応じた発光から、設定したキーワードに対応する配信データを受信したことを示す態様（全ての発光体１５１が５秒間点滅）で発光する。そして、発光が開始されてから４秒間経過後に、表示データが示す表示内容が表示画面１４１に表示される。
【００４６】
このように、本発明の実施形態に係る通信端末１は、配信サーバ２から送信される様々な配信データを受信する一方、予め設定されたキーワードに対応する配信データを受信した場合に、利用者に対して報知するとともに、報知後一定時間経過した後に配信データに係る表示内容を表示画面１４１に表示させることができる。したがって、利用者は、他の作業を行っていても報知により所望の配信データを受信したことを認識できるとともに、その配信データに係る表示内容が遅れて表示されるから、時間的猶予により確実にその表示内容を確認することができる。
【００４７】
以上、本発明の実施形態について説明したが、本発明は以下のように、さまざまな態様で実施可能である。
【００４８】
＜変形例１＞
上述した実施形態においては、設定情報が示すキーワードは１つのキーワードであったが、複数のキーワードであってもよい。このように複数のキーワードが設定された場合には、配信データに係るデータ種別に対して判定部１０２が肯定的な判定とする判定基準となったキーワードに応じて、発光体１５１の発光態様を変更するようにしてもよい。この場合には、以下のようにすればよい。
【００４９】
図７は、記憶部１２に記憶された発光制御テーブルを説明する図である。記憶部１２に記憶された発光制御テーブルは、図７に示すように、設定情報が示すキーワードと発光態様とが対応付けられている。発光態様Ａ、Ｂ、Ｃ、・・・は、それぞれ異なる発光態様を示し、発光態様は、例えば、点滅間隔、発光色、発光する発光体１５１の位置、発光範囲などにより規定される。この対応付けは、予め設定されたものであってもよいし、利用者がキーワードを設定するときに、操作ボタン１３１を操作して発光態様を設定するようにしてもよい。
【００５０】
そして、判定部１０２は、判定テーブルを参照し、配信データに係るデータ種別に対応するキーワードが設定情報によって示されるキーワードに含まれているか否かを判定する。そして、判定部１０２は、対応するキーワードがある場合には、判定信号ＯＫを出力するとともに、発光制御部１０３に対しては、発光制御テーブルを参照し、肯定的な判定の基準となったキーワードに対応する発光態様を特定して、その発光態様を示す発光態様信号についても出力する。これにより、キーワードに応じて、報知時の発光体１５１における発光態様を変化させるから、利用者は、どのような種類の配信データに係る表示内容が表示されるかを表示前に確認することができる。
【００５１】
なお、判定部１０２は、肯定的な判定の基準となったキーワードが複数の場合には、いずれか一方のキーワードに対応した発光態様を特定してもよいし、複数のキーワードに対応する発光態様が発光制御テーブルによって対応付けられていれば、その発光態様を特定してもよい。また、キーワードに対応した発光態様ではなく、データ種別に対応して発光態様としてもよい。
【００５２】
＜変形例２＞
上述した実施形態においては、設定情報が示すキーワードは１つであったが、配信データを受信する時間帯に応じてキーワードが切り替えられるようにしてもよい。
【００５３】
図８は、時間帯とキーワードとを対応付けた設定情報を示す説明図である。図８に示すように、この例における設定情報は、各時間帯に応じてキーワードが設定されている。この場合、制御部１１に現在時刻を出力する計時手段を設け、判定部１０２は、配信データ取得部１０１から識別情報が出力されたときに計時手段によって出力される現在時刻を認識し、その時刻が位置する時間帯に対応するキーワードを取得して、配信データに係るデータ種別と対応するか否かを判定するようにすればよい。なお、図８に示すように時間帯毎にキーワードを対応させるだけでなく、日付毎、曜日毎、月毎などに対してキーワードを設定するようにしてもよい。
【００５４】
＜変形例３＞
上述した実施形態においては、設定情報が示すキーワードは、操作ボタン１３１の操作によって利用者によって設定されていたが、時期に応じて自動的に設定されるようにしてもよい。
【００５５】
図９は、日付とキーワードとを対応付けた日付自動設定情報を示す説明図である。図９に示す日付自動設定情報は、日付により定義される時期に応じてキーワードが設定され、記憶部１２に記憶されている。この場合、利用者は操作ボタン１３１を操作してキーワードを設定するのではなく、自動設定モードとする指示を示す操作を行う。また、制御部１１は、現在の日付を出力する日付出力手段が設けられている。
【００５６】
そして、利用者によって自動設定モードが指示されているときには、判定部１０２は、配信データ取得部１０１から識別情報が出力されたときに日付出力手段によって出力される日付を認識し、日付自動設定情報から、その日付に対応するキーワードを取得して、配信データに係るデータ種別と対応するか否かを判定するようにすればよい。このようにすることで、季節などの時期に適したキーワードを自動的に設定することができる。なお、図９に示すように日付毎にキーワードを対応させるだけでなく、時間毎、曜日毎、月毎などに対してキーワードを設定するようにしてもよい。
【００５７】
＜変形例４＞
上述した実施形態において、記憶部１２に記憶される設定情報が示すキーワードは、操作ボタン１３１の操作によって利用者によって予め設定されるものであったが、利用者の声の収音内容に応じて設定情報が示すキーワードが更新、または追加されるようにしてもよい。この場合には、収音信号処理部１０６は、取得した収音信号を隠れマルコフモデルなどの手法により解析して、利用者が発声した言葉を認識し、認識した言葉を設定情報が示すキーワードとして設定する。このとき、判定テーブルの対応ワードを含む言葉だけをキーワードとして設定してもよい。そして、認識した言葉が増えると設定情報が示すキーワードの数が増加するようにすればよい。なお、設定情報が示すキーワードの数を特定数に制限することによって、特定数を超えて新たにキーワードが認識されると、設定情報が示すキーワードのうち古いキーワードを削除して、最新の特定数のキーワードが設定情報によって示されるようにすればよい。
【００５８】
このようにすると、他の通信端末１の利用者との会話において利用者が発した言葉に対応したキーワードが設定されるから、会話の内容にあったデータ種別の配信データに係る表示内容を表示画面１４１に表示させることができる。
【００５９】
＜変形例５＞
上述した実施形態において、記憶部１２に記憶されている設定情報が複数であってもよい。この場合は、通信端末１の利用者ごとに各設定情報を対応させてもよい。
【００６０】
図１０は、利用者と設定情報とを対応付けた設定対応テーブルを示す説明図である。設定対応テーブルは、図１０に示すように、利用者を示す識別子（ユーザーＡ、Ｂ、Ｃ、・・・）と設定情報（設定情報Ｘ、Ｙ、Ｚ）とが対応付けられ、記憶部１２に記憶されている。利用者は操作ボタン１３１を操作して自らがどの利用者に対応するかを選択すると、選択した利用者を示す識別子に対応する設定情報が特定され、判定部１０２は、この設定情報が示すキーワードに応じて判定を行う。ユーザー毎の設定情報が示すキーワードは、予め操作ボタン１３１の操作により設定しておけばよい。
【００６１】
また、ユーザーの特定は別の態様で行われてもよい。例えば、各ユーザーに対応する声の周波数分布などの特徴量を示すユーザー特徴情報などを記憶部１２に記憶しておき、収音信号処理部１０６は、取得した収音信号から音の特徴量を解析して、この特徴量を示す収音特徴情報を出力する。そして、判定部１０２は、収音特徴情報とユーザー特徴情報とを比較して、利用者がどのユーザーに対応するかを特定し、設定対応テーブルを参照して、特定したユーザーに対応する設定情報を取得するようにすればよい。
【００６２】
＜変形例６＞
上述した実施形態において、表示画面１４１は、筐体の正面１０−Ｆに設けられていたが、この場所に限られず、他の面に設けられていてもよいし、複数面に設けられていてもよい。また、発光体１５１についても、実施形態の態様での配置に限られず、その数についても４つに限られるものではない。例えば、上面１０−Ｔのカバー１６２の周囲に設けられてもよい。ここで、発光体１５１については、上面１０−Ｔ以外に設ける場合には、複数の面に設けておくと、どの方向からでも視認できる。
【００６３】
図１１は、発光体１５１と表示画面１４１とを共通化した表示画面１４１Ａを有する通信端末１Ａの外観を説明する図である。図１１に示すように、表示画面１４１Ａを上面１０−Ｔに設け、発光制御部１０３が表示部１４を制御できるようにしてもよい。そして、判定部１０２から判定信号ＯＫが出力されると、発光制御部１０３は、表示画面１４１Ａに予め設定された態様の表示を行うようにすればよい。そして、表示制御部１０４の制御により配信データに係る表示内容を表示画面１４１Ａに表示させるときには、発光制御部１０３の制御を終了させればよい。
【００６４】
＜変形例７＞
上述した実施形態において、スピーカ１７１は、筐体の正面１０−Ｆに設けられていたが、この場所に限られず、他の面に設けられていてもよいし、複数面に設けられていてもよい。この場合、収音信号処理部１０６において認識した音源の方向に対応したスピーカ１７１から放音させ、他のスピーカ１７１の放音は停止または音量を下げるようにしてもよい。
【００６５】
＜変形例８＞
上述した実施形態において、判定部１０２は、記憶部１２に記憶された判定テーブルに基づいて、配信データに係るデータ種別が、設定情報が示すキーワードと対応しているかを判定していたが、別の態様での判定であってもよい。すなわち、判定部１０２は、予め設定されたアルゴリズムに基づいて、配信データに係るデータ種別と設定情報が示すキーワードとが特定の関係を満たしているか否かを判定するものであればよい。
【００６６】
＜変形例９＞
上述した実施形態においては、表示制御部１０４は、判定部１０２から判定信号ＯＫが出力され、発光体１５１による報知が開始されてから、予め設定された時間（実施形態においては４秒間）経過後に表示画面１４１に配信データに係る表示内容を表示させていたが、報知が開始されてから表示画面１４１に表示させるまでの時間は変更可能としてもよい。この場合、収音信号処理部１０６において取得した収音信号を解析して、その収音レベルに応じて、表示制御部１０４において表示データを遅延させる時間を変更させればよい。例えば、収音レベルが大きいほど、利用者が通信端末１の近くにいると考えられるから、遅延させる時間を短くし、収音レベルが小さいほど遅延させる時間を長くすればよい。
【００６７】
＜変形例１０＞
上述した実施形態における制御プログラムは、磁気記録媒体（磁気テープ、磁気ディスクなど）、光記録媒体（光ディスクなど）、光磁気記録媒体、半導体メモリなどのコンピュータ読取り可能な記録媒体に記憶した状態で提供し得る。また、通信部１８を用いてネットワーク経由でダウンロードさせることも可能である。
【符号の説明】
【００６８】
１，１Ａ…通信端末、２…配信サーバ、３…ネットワーク、１０−Ｔ…上面、１０−Ｆ…正面、１０−Ｒ…右側面、１０−Ｌ…左側面、１０−Ｂ…背面、１１…制御部、１２…記憶部、１３…操作部、１３１…操作ボタン、１４…表示部、１４１，１４１Ａ…表示画面、１５…発光部、１５１−ＦＲ，１５１−ＦＬ，１５１−ＲＲ，１５１−ＲＬ…発光体、１６…収音部、１６２…カバー、１７…放音部、１７１…スピーカ、１７２…ネット、１８…通信部、１００…データ制御部、１０１…配信データ取得部、１０２…判定部、１０３…発光制御部、１０４…表示制御部、１０５…放音制御部、１０６…収音信号処理部、１０００…通信システム
【図１】
2010226245.tif 000003
【図２】
2010226245.tif 000004
【図３】
2010226245.tif 000005
【図４】
2010226245.tif 000006
【図５】
2010226245.tif 000007
【図６】
2010226245.tif 000008
【図７】
2010226245.tif 000009
【図８】
2010226245.tif 000010
【図９】
2010226245.tif 000011
【図１０】
2010226245.tif 000012
【図１１】
2010226245.tif 000013